(57)【要約】      （修正有）【課題】遮蔽パネルの回動と位置決めを確実に奏することができ、しかも簡易な構成とした回転式柵を提供する。【解決手段】回転式柵は、共通の回転軸４を有する取付金具３と回動アーム５を、互いに角度を設けて位置決めする。支柱１の前後方向へ回動可能に回転軸４を支柱１の側面に軸支し、対向する支柱１、１の取付金具３、３間に遮蔽パネル２を架設する。同一支柱１の上下位置に在る複数の回動アーム５の両端部を連結バー９で連結し、一の連結バー９に昇降用駆動手段１０を設ける。【選択図】図２
0003135435.tif 000002
【実用新案登録請求の範囲】
【請求項１】
共通の回転軸を有する取付金具と回動アームを、互いに角度を設けて位置決めすると共に、支柱の前後方向へ回動可能に前記回転軸を支柱の側面に軸支し、対向する支柱の取付金具間に遮蔽パネルを架設し、同一支柱の上下位置に在る複数の回動アームの両端部を連結バーで連結し、一の連結バーに昇降用駆動手段を設けたことを特徴とする回転式柵。
【請求項２】
回転軸が支柱の側面に形成した支持凹部に緩挿して支承すると共に、緩挿した回転軸に上方への浮き上がり防止手段を設けたことを特徴とする請求項１記載の回転式柵。
【請求項３】
回転軸が取付金具及び回動アームの中央部に位置することを特徴とする請求項１又は２記載の回転式柵。
【請求項４】
昇降用駆動手段の制御盤と風速計や風速センサーとを連係したことを特徴とする請求項１乃至３のいずれかに記載の回転式柵。
【考案の詳細な説明】
【技術分野】
【０００１】
本考案は柵に関するものであり、詳しくは、例えば、風速の強弱によって風を遮る防風パネルの角度を変更可能な回転式の防風柵や、防雪或いは防砂等にも利用できる柵に関するものである。
【背景技術】
【０００２】
回転式の柵の用途として、例えば鉄道の橋梁部の側面に設置される防風柵では、通常の場合は車両の運行を安全に行うため風の遮断や減殺作用が期待されている。
しかし、風速が規定値を超えると、安全のために運行を中止するのであり、斯かる時には防風パネルを水平に回転して、防風柵や橋梁に掛かる風圧の負担を軽減することが考えられているのである。
【０００３】
一方、上記とは逆に、無風時には防風パネルを開いて視認性を良好とし、風が強くなると防風パネルを閉じて防風作用を行う目的で、防風パネルを回転式とすることも提案されているのである。
【０００４】
このような目的のものとして、例えば特開２０００−２７１１９は、柵子に防風板を回動可能に軸支し、その支軸を上側に偏在させ、風圧によって防風板を回転させる構成を開示し、併せて支軸に設けたピニオンに昇降するラックを噛合して回転角度を制御する構成も開示する。
また、特開２００５−２３２９２１は風向きによって、防風作用と風の通過作用を行うように防雪板の回動を制御する構成が開示されている。
【考案の開示】
【考案が解決しようとする課題】
【０００５】
そこで、本考案は防風等の遮蔽パネルの回動と位置決めを確実に奏することができ、しかも簡易な構成とした回転式柵を提供せんとするものである。
【課題を解決するための手段】
【０００６】
本考案の請求項１の回転式柵は、共通の回転軸を有する取付金具と回動アームを、互いに角度を設けて位置決めすると共に、支柱の前後方向へ回動可能に前記回転軸を支柱の側面に軸支し、対向する支柱の取付金具間に遮蔽パネルを架設し、同一支柱の上下位置に在る複数の回動アームの両端部を連結バーで連結し、一の連結バーに昇降用駆動手段を設けたことを特徴とするものである。
【０００７】
請求項２の考案は、回転軸が支柱の側面に形成した支持凹部に緩挿して支承すると共に、緩挿した回転軸に上方への浮き上がり防止手段を設けたことを特徴とする。
また、請求項３の考案は、回転軸が取付金具及び回動アームの中央部に位置することを特徴とする。
そして、請求項４の考案は、昇降用駆動手段の制御盤と風速計や風速センサーとを連係したことを特徴とするものである。
【考案の効果】
【０００８】
遮蔽パネルを架設する取付金具と回動アームが共通の回転軸を有し、回動アームの両端部が連結バーで連結した構成であるため、回動アームと連結バーはリンク機構を形成し、一の連結バーを昇降させることにより回転軸が回転し、共通の回転軸を持つ遮蔽パネルも従動して回動するのである。
【０００９】
したがって、一の連結バーの昇降範囲を制御することにより、遮蔽パネルの回動範囲を確実且つ容易に設定して位置決めできる効果を有するのである。
そして、回動アームと連結バーはリンク機構を形成しているから、回転軸を共通にする各遮蔽パネルは互いに回動を同一とし、且つ単独の回動を制約されるため、回動を同時に確実に制御できる効果を有するのである。
【００１０】
また、取付金具と回動アームを、互いに角度を設けて位置決めしてあるため、遮蔽パネルが垂直時（防風等時）には回動アームは前後に傾斜して突出しているため、遮蔽パネルを水平状態にして風圧等を避けるための９０度の回動を、連結バーの昇降で滑らかに作用させることができる効果がある。
【００１１】
請求項２の考案は、回転軸が支柱の側面に形成した支持凹部に緩挿して支承すると共に、緩挿した回転軸に上方への浮き上がり防止手段を設けたものであるから、簡単な軸受けで回転軸を支承でき、組み立ても簡易に行える効果も得られるのである。
そして、取付金具には遮蔽パネルが架設されること、及び各回動アームが連結バーで一体に連結されること等で、全体が一つに連結されて重量があるため、支持凹部から回転軸が飛び出す虞が殆ど無いと共に、浮き上がり防止手段で万一の場合の安全を担保している。
【００１２】
請求項３の考案は, 回転軸が取付金具及び回動アームの中央部に位置することを特徴とし、回動時のバランスがとれ円滑で安全な回動と安定した体勢が維持できる効果がある。
【００１３】
請求項４の考案は、昇降用駆動手段の制御盤と風速計や風速センサーとを連係したことを特徴とするものであり、風力により昇降用駆動手段を制御し遮蔽パネルの自動回転を行える効果を得られるのである。
【考案を実施するための最良の形態】
【００１４】
本考案の実施の形態を図面に基づいて説明する。
図１は本考案の一実施の形態を示す防風柵の正面図、図２は図１のＡ−Ａ線断面図である。
本考案の一実施の形態例である防風柵は、一定の間隔で立設した支柱１、１間に上下方向に連設して、取付金具３に取り付けられた防風パネル２、２、２・・・が架設されている。
【００１５】
防風パネル２は、凹凸部を形成した折版であり、取付金具３に取り付けて支柱１、１間に架設される。
取付金具３はＬ形鋼で角内の一面に防風パネル２を当着し、他方の面の外側には、上下長さ方向の中央部に回転軸４が突設してあり、この回転軸４の基部には回動アーム５が取り付けられ、各部材は熔接等により一体に形成されている。
回動アーム５は、長さ方向の中央部を回転軸４が貫通すると同時に、取付金具３に対して４５度の角度に傾斜して回転軸４へ固定されている。
【００１６】
一方、支柱１はＨ形鋼の溝部１Ａを対向して定間隔で立設し、溝部１Ａには取付金具３（図面では３枚）に応じて軸受け部材６、６、６を設け、各軸受け部材６に上縁から切り欠いた支持凹部７を形成し、この支持凹部７に前記回転軸４を緩挿して防風パネル２等を支承している。
緩挿した回転軸４の上方に近接して、浮き上がり防止ロッド８が溝部１Ａを横断して支柱１に挿通してあり、回転軸４が支持凹部７から浮脱するのを阻止している。
【００１７】
また、防風パネルを支柱１、１間に架設支持する回転軸４に固定した回動アーム５は、４５度の角度に傾斜しているため、その両端部は前後位置に在って、支柱の上下位置となる各回動アーム５、５、５の両端部を連結バー９、９で回動可能に軸着し、互いに連結された回動アーム５、５、５と連結バー９、９は、リンク機構を形成することになる。
【００１８】
したがって、連結バー９を昇降することで、リンク作用により回動アーム５、５、５が回転軸４を支軸として正逆方向に回転するため、回転軸４に固定された取付金具３の防風パネル２も従動して回転するのであり、回転角度を９０度になるように連結バー９の昇降を制御すれば、防風パネル２を垂直又は水平に回動させて支持することができるのである。
【００１９】
連結バー９の昇降手段は、支柱１、１間に架設される防風パネル２で構成する１スパンの防風柵における４つの連結バー９の中、少なくとも一の連結バー９を積極的に昇降させる駆動源１０を設ければ足りる。
図面の実施の形態例では、昇降用の駆動源１０としてリニアアクチュエーターを用い、一つ置きの支柱１の正面側下部にリニアアクチュエーターを設置し、両側の連結バー９、９と連繋して同時に昇降できるようにしたもので、２スパンの防風柵を一つの駆動源１０で制御する構成と成っている。
【００２０】
また、起動源１０の制御を風速計や風速センサーと連繋するものとして、制御盤に設定した風速により自動的に駆動源を作動して防風パネル２を回動することもできる。
【００２１】
防風パネル２は有孔板や有孔折板、或いはエキスパンドメタル等を任意に使用でき、パネルの形状や上下間のパネルの使用枚数は、適宜選択し、設計するものである。
回動アーム５と連結バー９や、連結バー９と駆動源１０との連結部はクリアランスを小さくし回転が円滑となるようにし、必要ならば更なる手段を講じるものとなる。
浮き上がり防止ロッドをボルトにして螺着しておくと安心である。
連結バー９の制御は駆動源と連繋する風速探知手段で行い、停止のストローク端はリリーフ弁で検知したり、安全装置として装備して過負荷時は停止させる必要があり、また、連結バー９のストロークを直接規制するストッパーを設けても良い。
【００２２】
本考案は通常時は、防風パネルは垂直状態で、強風時に防風パネルを水平にして荷重を逃がすことを主目的とするが、逆に通常時は景観を良くし、強風時に防風作用をする用途にも利用可能であり、防雪或いは防砂等の各種柵や類似形態の構築物にも利用できるものである。
【図面の簡単な説明】
【００２３】
【図１】本考案の一実施の形態を示す正面図である。
【図２】図１のＡ−Ａ線断面図である。
【図３】回動時の断面図である。
【図４】要部平面図である。
【図５】支柱の一部側面図である。
【符号の説明】
【００２４】
１    支柱
１Ａ  溝部
２    防風パネル
３    取付金具
４    回転軸
５    回動アーム
６    軸受け部
７    支持凹部
８    浮き上がり防止ロッド
９    連結バー
１０    駆動源
【図１】
0003135435.tif 000003
【図２】
0003135435.tif 000004
【図３】
0003135435.tif 000005
【図４】
0003135435.tif 000006
【図５】
0003135435.tif 000007